(57)【要約】【課題】シャッターカーテンが閉じた状態でケースのアルミ天板が溶融したときに、その溶融アルミがシャッターカーテンよりも室外側に落下し、室内側には落下しないシャッターとする。【解決手段】シャッターカーテン３を巻き上げ、繰り下げする巻取軸５が設けられたケース４内に、アルミの融点以上の融点の補強材３０を最大限に巻き上げた状態のシャッターカーテンと干渉しない上方位置に保持して設け、そのケース４のアルミ製天板２２が溶融したときには補強材３０が下向き斜めの姿勢に変位して溶融アルミが補強材３０に沿ってシャッターカーテン３の室外側面に向けて流れ、その溶融アルミはシャッターカーテン３よりも室外側に落下し、室内側には落下しないようにする。【選択図】図３
2013155515.tif 000002
【特許請求の範囲】
【請求項１】
ケース内に設けた巻取軸でシャッターカーテンを巻き上げ、繰り下げるようにしたシャッターであって、
前記ケース内にアルミの融点以上の融点の補強材を、ケースのアルミ製天板が溶融したときに、その溶融アルミをシャッターカーテンの室外側面に向けて落下し、シャッターカーテンよりも室内側には落下しないように設けたことを特徴とするシャッター。
【請求項２】
前記補強材を、通常時は最大限巻き上げた状態のシャッターカーテンと干渉しない上方位置に保持され、前記天板が溶融したときは室外側部が室内側部よりも低く、下向き斜めの姿勢に変位して巻取軸と天板の室内側部との間を閉塞するように設けた請求項１記載のシャッター。
【請求項３】
前記補強材の室内側部を第１の固着具で固着すると共に、その補強材の室外側部を第２の固着具で固着することで上方位置に保持して取り付け、
前記天板が溶融する際に熱膨張して少なくとも前記第１の固着具を覆う熱膨張性耐火材を設けた請求項２記載のシャッター。
【請求項４】
前記補強材の室内側部を天板の室内側部に第１の固着具で固着すると共に、その補強材の室外側部を天板の室外側部に第２の固着具で固着することで上方位置に保持して取り付けた請求項２又は３記載のシャッター。
【請求項５】
前記ケースに、補強材の下向き斜めの姿勢を規制して当該補強材が巻取軸と接しないようにする支持部材を設けた請求項２又は３又は４記載のシャッター。
【発明の詳細な説明】
【技術分野】
【０００１】
本発明は、シャッターカーテンを巻き上げ、繰り下げることで開口部を開閉するシャッター、例えば、建物の外壁に取り付けられ、サッシ窓の室外側部を開閉するシャッターに関する。
【背景技術】
【０００２】
従来のシャッターとしては、左右のガイドレールに沿ってシャッターカーテンを上下動自在とし、そのガイドレールの上方に設けたケース内に巻取軸を設け、この巻取軸でシャッターカーテンを巻き上げることで建物の開口部を開放し、巻取軸でシャッターカーテンを繰り下げることで建物の開口部を閉鎖するようにしたものが知られている（特許文献１参照）。
【先行技術文献】
【特許文献】
【０００３】
【特許文献１】実公平６−５５１０
【発明の概要】
【発明が解決しようとする課題】
【０００４】
前述した従来のシャッターにおけるケースは、アルミ材により製作されるのが一般的であり、火災時やシャッターの防火試験の際に、ケースの天板（ルーフ板）が溶融することがある。
このように、シャッターカーテンが閉じた状態で天板が溶融すると、その溶融したアルミがシャッターカーテンよりも室内側に落下して種々の不具合が発生することがある。
例えば、シャッターカーテンが建物の開口部を開閉する場合には、落下した溶融アルミが開口部から室内に飛散することがある。
また、枠体の下枠まで溶融アルミが落下し、下枠に穴があき、枠体の内部と外部を連通する貫通孔が発生してしまう。
【０００５】
本発明は、シャッターカーテンが閉じた状態でケースの天板が溶融したときに、その溶融アルミがシャッターカーテンよりも室外側に落下し、シャッターカーテンよりも室内側には落下しないようにしたシャッターを提供することである。
【課題を解決するための手段】
【０００６】
本発明は、ケース内に設けた巻取軸でシャッターカーテンを巻き上げ、繰り下げるようにしたシャッターであって、
前記ケース内にアルミの融点以上の融点の補強材を、ケースのアルミ製天板が溶融したときに、その溶融アルミをシャッターカーテンの室外側面に向けて落下し、シャッターカーテンよりも室内側には落下しないように設けたことを特徴とするシャッターである。
【０００７】
本発明においては、前記補強材を、通常時は最大限巻き上げた状態のシャッターカーテンと干渉しない上方位置に保持され、前記天板が溶融したときは室外側部が室内側部よりも低く、下向き斜めの姿勢に変位して巻取軸と天板の室内側部との間を閉塞するように設けることができる。
このようにすれば、通常時に補強材は上方位置に保持されるので、シャッターカーテンの巻き上げ、繰り下げに支障を来すことがない。
また、天板が溶融したときには補強材が下向き斜めの姿勢に変位するので、溶融アルミを補強材に沿ってスムーズに落下することができる。
【０００８】
本発明においては、前記補強材の室内側部を第１の固着具で固着すると共に、その補強材の室外側部を第２の固着具で固着することで上方位置に保持して取り付け、
前記天板が溶融する際に熱膨張して少なくとも前記第１の固着具を覆う熱膨張性耐火材を設けることができる。
このようにすれば、天板が溶融したときに第１の固着具が耐火材で熱から保護されて溶融しないので、補強材の室内側部を天板の室内側部に固着した状態を維持して下向き斜めの姿勢に変位できる。
【０００９】
本発明においては、前記補強材の室内側部を天板の室内側部に第１の固着具で固着すると共に、その補強材の室外側部を天板の室外側部に第２の固着具で固着することで上方位置に保持して取り付けることができる。
このようにすれば、補強材を天板に取り付けできるので、既存のケースを利用して補強材を有するケースとすることができる。
【００１０】
本発明においては、前記ケースに、補強材の下向き斜め姿勢を規制して当該補強材が巻取軸と接しないようにする支持部材を設けることができる。
このようにすれば、溶融アルミが巻取軸に付着堆積することなしにスムーズに落下することができる。
【発明の効果】
【００１１】
本発明によれば、シャッターカーテンが閉じた状態で、火災時や耐火試験時に天板が溶融したときに、その溶融アルミは補強材によってシャッターカーテンの室外側面に向けて落下するので、その溶融アルミはシャッターカーテンよりも室外側に落下し、室内側には落下することはない。
【図面の簡単な説明】
【００１２】
【図１】本発明の実施の形態を示すシャッターの外観図である。
【図２】図１のＡ−Ａ断面図である。
【図３】図１のＢ−Ｂ断面図である。
【図４】ケースの一部破断斜視図である。
【発明を実施するための形態】
【００１３】
図１に示すように、枠体１に設けた左右のガイドレール２に沿ってシャッターカーテン３が上下動自在に支承され、このシャッターカーテン３は複数のスラット３ａを揺動可能に連結してある。
前述した枠体１の上部にはケース４が設けてある。このケース４内に巻取軸５を設け、この巻取軸５でシャッターカーテン３を巻き上げ、繰り下げることで枠体１の開口部を開閉する。
【００１４】
前述した枠体１は、図２、図３に示すように、左右の縦枠１０，１０と、下枠１１と、上枠（まぐさ）１２を備え、左右の縦枠１０の室外側にガイドレール２が取り付けてある。
縦枠１０、下枠１１、上枠１２は建物の外壁１３の開口部１３ａの周縁に取り付けられ、その枠体１には図示しない障子が開閉自在に取り付けられてサッシ窓としてある。
【００１５】
前述したケース４は、左右の端面板２０，２０と、この左右の端面板２０間に渡って取り付けした前面板２１、天板２２と、前述した上枠１２と、天板２２と上枠１２に渡って取り付けした後面板２３とで箱形状で、前面板２１の下端部と上枠１２の室外側部との間に隙間２４を有している。
前述した巻取軸５はケース４内において左右の端面板２０間に渡って回転自在に取り付けてある。
前述したシャッターカーテン３はケース４の隙間２４を通してケース４内に入り込み、巻取軸５に連結され、その巻取軸５を正転、逆転することでシャッターカーテン３が巻き上げ、繰り下げられる。
このシャッターカーテン３を最大限巻き上げすると、図３に仮想線で示す状態となる。
【００１６】
前述した天板２２は図３、図４に示すように、横向板２２ａと、この横向板２２ａの室内側端に一体に設けた縦向板２２ｂで略倒Ｔ字形状で、その横向板２２ａの室外側寄りの下面に取付片２５を有している。この取付片２５は縦片２５ａと横片２５ｂで鉤形状で、縦片２５ａが横向板２２ａの下面に一体に設けてある。
この天板２２はアルミ材で製作してある。例えば、アルミ押出形材で製作してある。
前述した後面板２３は縦板２３ａと上横板２３ｂと下横板２３ｃでコ字形状の長尺材で、左右の端面板２０の縦取付片２０ａ、上横取付片２０ｂ、下横取付片２０ｃに固着具、例えばリベット２６で固着して取り付けてある。
そして、天板２２の縦向板２２ｂが建物の外壁１３に固着具、例えばねじ２７で固着して取り付けてある。
【００１７】
前記ケース４内には、融点がアルミの融点（７８１℃）以上の材料で製作した補強材３０が取り付けてある。
この補強材３０は天板２２が溶融しても溶融することがなく、その溶融アルミを閉じ状態のシャッターカーテン３の室外側面に向けて落下するように設けてある。
これにより、天板２２が溶融したときに、その溶融アルミはシャッターカーテン３よりも室外側に落下し、そのシャッターカーテン３よりも室内側には落下しないので、前述したような不具合が発生することはない。
【００１８】
前述の補強材３０の取り付けの一例を図３、図４に基づいて説明する。
この補強材３０の室内外側方向の長さ（見込み寸法）は天板２２の室内外側方向の長さ（見込み寸法）とほぼ同一で、通常時には最大限巻き上げた状態のシャッターカーテン３と干渉しない上方位置に保持され、シャッターカーテン３の巻き上げ、繰り下げに支障を来すことがないようにしてある。
【００１９】
また、火災時や防火試験時など天板２２が溶融した場合には、図３に仮想線で示すように、室外側部が室内側部よりも低く、その室内側部が巻取軸５に接近した下向き斜めの姿勢に変位し、巻取軸５と天板２２の室内側部との間を補強材３０で閉塞する。
これにより、シャッターカーテン３が閉じた状態で天板２２が溶融した場合、その溶融アルミは補強材３０に沿って下方に流れ、シャッターカーテン３の室外側面に沿ってシャッターカーテン３よりも室外側に落下し、その溶融アルミがシャッターカーテン３よりも室内側に落下することがない。
【００２０】
前述の補強材３０は図３、図４に示すように、その横板３１の室内側端と連続した立上り片３２を有し、その立上り片３２を天板２２の室内側部、例えば縦向板２２ｂの横向板２２ａよりも下方の部分に第１の固着具、例えば第１のリベット３３で固着すると共に、横板３１の室外側寄りが天板２２の室外側寄り、例えば取付片２５の横片２５ｂに第２の固着具、例えば第２のリベット３４で固着することで、補強材３０を前述の上方位置に保持している。
【００２１】
そして、前述の第１リベット３３の付近、例えば横板３１の立上り片３２寄りに熱膨張性耐火材、例えば熱膨張性黒鉛３５を設け、天板２２が溶融する温度となると熱膨張性黒鉛３５が図３に仮想線で示すように熱膨張して第１のリベット３３と、その周辺を覆うことで熱から保護するようにしてある。
【００２２】
このようであるから、火災時や防火試験時に天板２２の付近の温度が天板２２が溶融する温度となると熱膨張性黒鉛３５が熱膨張して第１のリベット３３と、その周辺を覆うことで熱から保護し、溶融しないので、補強材３０の室内側部は天板２２の室内側部に固着された状態が維持され、第２のリベット３４による固着がなくなるので、補強材３０は自重等で、室内側部を支点として図３に矢印で示すように下方に回動し、前述の下向き斜めの姿勢に変位する。
このとき、補強材３０は後面板２３の上横板２３ｂの室外側端部２３ｂ−１に接して下向き斜めの姿勢が規制される。つまり、補強材３０の室外側端が巻取軸５に接しても良いが、そのようにすると溶融アルミが巻取軸５に付着堆積し易いので、補強材３０の室外側端を巻取軸５と離隔するために上横板２３ｂの先端部２３ｂ−１に接して下向き姿勢を規制している。なお、後面板２３の上横板２３ｂとは別に支持部材をケース４内に設けても良い。
前述の後面板２３はスチール材で製作してある。
【００２３】
このようであるから、補強材３０を天板２２に取り付けることができ、従来のケースを利用して補強材３０を有するケースとすることが可能である。
【００２４】
前述の実施の形態では、ガイドレール２を枠体１の縦枠１０に取り付けしたが、ガイドレール２を建物の外壁に取り付けても良い。
また、補強材３０の室内側寄りを後面板２３にブラケット等を用いて取り付けるようにしても良い。
【符号の説明】
【００２５】
１…枠体、２…ガイドレール、３…シャッターカーテン、４…ケース、５…巻取軸、２２…天板、３０…補強材、３２…第１のリベット（第１の固着具）、３３…第２のリベット（第２の固着具）、３５…熱膨張性黒鉛（熱膨張性耐火材）。
【図１】
2013155515.tif 000003
【図２】
2013155515.tif 000004
【図３】
2013155515.tif 000005
【図４】
2013155515.tif 000006